(57)【要約】  本発明は、カメラモジュール（１０）の対物レンズ（５２）に前置された散乱光スクリーン（１２）を備えたカメラモジュール（１０）に関する。散乱光スクリーン（１２）は、板ガラス（１４）の内側（１６）に接触しており、この場合、散乱光スクリーン（１２）の内側（２８）には、散乱光入射（３２，３６）を減少させる構造（３４）が設けられている。散乱光入射（３２，３６）を減少させる構造（３４）は、少なくとも１つの傾斜面状の二次構造（５６，８０，８６）を有しており、この二次構造は、カメラ装置（１０）の光軸（２０）に対して直交するように配向されている。
2008522891.tif 000002
【特許請求の範囲】
【請求項１】
カメラモジュール（１０）と散乱光スクリーン（１２）とを備えた、自動車用のカメラ装置（１０，５２）であって、散乱光スクリーン（１２）の内側（２８）に、散乱光入射（３２，３６）を減少させる構造（３４）が設けられている形式のものにおいて、
散乱光入射（３２，３６）を減少させる前記構造が、少なくとも１つの傾斜面状の二次構造（５６）を有しており、該二次構造が、カメラ装置（１０，５２）の光軸（２０）に対して直交するように配向されていることを特徴とする、自動車用のカメラ装置。
【請求項２】
散乱光入射（３２，３６）を減少させる構造（３４）が階段状に形成されている、請求項１記載の自動車用のカメラ装置。
【請求項３】
傾斜面状の二次構造（５６）が、それぞれ変向面（８２）を備えた、傾斜面状に形成された多数の隆起部を有している、請求項１記載のカメラ装置。
【請求項４】
変向面（８２）が、散乱光入射（３２，３６）を減少させる一次構造（３４）の段（４８）に関して所定の勾配角度（８４）で配置されている、請求項３記載のカメラ装置。
【請求項５】
傾斜面状の二次構造（５６）が、上方から入射する光（４０，６２）をそれぞれ衝突点（７４）に向かって変向させ、これらの衝突点から、上方から入射する光（４０，６２）がカメラ装置（１０，５２）の傍らを通るように向けられる、請求項１記載のカメラ装置。
【請求項６】
傾斜面状の二次構造（５６）が、カメラ装置（１０，５２）の光軸（２０）に関して軸対称に形成されている、請求項１記載のカメラ装置。
【請求項７】
変向面（８２）が、光軸（２０）に関して散乱光スクリーン（１２）の外側領域に向くように配向されている、請求項６記載のカメラ装置。
【請求項８】
変向面（８２）が、光軸（２０）に関してそれぞれ端面（６６）を有しており、これらの端面のＺ軸線（２２）の方向の延在部が、光軸（２０）から離れるにつれて増大する、請求項６記載のカメラ装置。
【請求項９】
光軸（２０）の方向で見て、カメラモジュール（１０）の対物レンズ（５２）に向かって多数の傾斜面状の二次構造（５６，８０，８６）が、階段状の一次構造（３４）の段（４８）に配置されている、請求項１記載のカメラ装置。
【請求項１０】
階段状の一次構造（３４）と、傾斜面状の二次構造（５６）とが黒く着色されている、請求項１記載のカメラ装置。
【請求項１１】
傾斜面状の二次構造（５６）の傾斜面状の隆起部が、それぞれＹ軸線（５４）の方向で見て隣り合っている、請求項３記載のカメラ装置。
【請求項１２】
傾斜面状の隆起部の端面（６６）が、それぞれ傾斜して形成された変向面（８２）の端部に隣接している、請求項１１記載のカメラ装置。
【請求項１３】
散乱光入射（３２，３６）を減少させる構造（３４）が複数の段（４８）を有しており、これらの段が、互いに隣接する平面（５８）と端面（７０）とを有しており、前記平面（５８）が、水平線に対して傾斜角αだけ傾斜されて構成されており、前記端面（７０）が、垂直線に対して傾斜角βだけ傾斜されて構成されている、請求項２記載のカメラ装置。
【請求項１４】
一次構造（３４）が複数の段（４８）を有しており、これらの段の平面（５８）と端面（７０）とが、傾斜された面（８８）によって結合されている、請求項２記載のカメラ装置。
【請求項１５】
一次構造（３４）が、それぞれ平面（５８）と端面（７０）とを備えた複数の段（４８）を有しており、前記平面（５８）が、水平線に関して傾斜角αだけ傾斜して配置されており、前記端面（７０）が、垂直線に関して傾斜角βだけ傾斜して構成されており、一次構造（３４）の各段（４８）の平面（５８）と端面（７０）とが、傾斜された面（８８）を介して互いに結合されている、請求項２記載のカメラ装置。
【請求項１６】
一次構造（３４）が複数の段（４８）を有しており、これらの段の平面（５８）に、傾斜面状の少なくとも２つの二次構造（５６）が配置されており、これらの二次構造の変向面（８２）が互いに逆向きに配向されている、請求項２記載のカメラ装置。
【請求項１７】
散乱光スクリーン（１２）が板ガラス（１４）の内側（１６）に接触している、請求項１から１６までのいずれか１項記載のカメラ装置。
【発明の詳細な説明】
【技術分野】
【０００１】
技術分野
自動車において目下の走行状態の表示及び処理に使用されるナイトビューシステムは、バックミラーの高さでフロントガラスのすぐ後ろに組み込まれた赤外線カメラを有している。このように使用される赤外線カメラは、不都合な散乱光の影響を減少させるために散乱光スクリーンを有している。使用される散乱光スクリーンは、カメラに入射する散乱光の影響を低減させる。
【０００２】
背景技術
ドイツ連邦共和国特許出願公開第１０２３７６０７号明細書から、自動車用のカメラ装置が公知である。この公知のカメラ装置は、車両内室でフロントガラスの背面に配置されたカメラを有している。このカメラは、フロントガラスの内側に固定されたホルダに収容される。このホルダは、この公知の構成では、フロントガラス１０とカメラ対物レンズとの間のスペースを、光を通さず且つダスト密に取り囲むカバーキャップを形成している。この場合、カメラはカバーキャップのフロントガラスに面した側の端部に配置されている。カバーキャップは、環状の縁部によって囲まれた光入射窓を有しており且つ前記環状縁部で以て、カバーキャップの光入射窓の領域がフロントガラスによって閉じられるように、フロントガラスに接触している。
【０００３】
ドイツ連邦共和国特許出願公開第１０２５２４４６号明細書から公知のカメラ装置は特に、支持可能な電気機器に適したカメラ装置である。この公知のカメラ装置は、光源から放射される光を受容するための電子カメラ素子を有している。更に、光源から放射される光を屈折させるための光学素子が設けられており、この場合、この光学素子は電子カメラ素子と光源との間に配置されている。更に、カメラ素子に当たる光の強度を制御するためには、電子カメラ素子と光源との間に配置された吸収エレメントが設けられている。この吸収エレメントは、当該のドイツ連邦共和国特許出願公開第１０２５２４４６号明細書から公知の構成では光可逆変色材料（fototropen Material)から製作される。
【０００４】
従来自動車に使用される散乱光スクリーンは、側方反射光を除去するために、内側に階段状の構造を有している。側方反射光は、散乱光スクリーンの内側に形成された構造によって、外側に向かって逆反射される。階段状の構造の段の高さ、階段の段の幅及び垂直方向面と水平方向面との間の角度に関するパラメータを最適化することにより、散乱光は概ね減少される。更に、散乱光スクリーンの内側は、吸収性の高い黒色である。
【０００５】
しかし、上方から入射する、例えば日光又は街路灯の光等の散乱光がカメラに射し込むような、不都合な状況も生じる。この場合は、フロントガラスにおいて、光を完全に又は部分的にカメラに案内する別の反射が行われる。この作用には、散乱光スクリーンの内側に形成された階段構造の幅及び高さは何ら影響を及ぼさない。但し、上方からの散乱光を減少させるために階段の段の角度を最適化することは、主要な効果、即ち前方から入射する散乱光の減少を著しく不都合に弱める恐れがある。
【０００６】
対策は、「光トラップ」によって講じることができる。このような光トラップは、複数の小さな凹部によって形成することができ、これらの凹部において光は、その強度が面における吸収により失われるまで往復反射される。但しこのためには、極端に大きな手間と結びついた、手間のかかる製作が必要とされる。このことは、散乱光スクリーンの内側に設けられる階段構造の個々の段に設けられる孔形状のような小さな構造の製作について云える。更に、現在、着色時に縁部が著しく丸められることを許容し得る手間で防止することは、ほとんど不可能である。一次構造の着色時に、散乱光スクリーン内で乾燥中の塗料の流れに基づき縁部が著しく丸められ、生じた丸みの半径が、光トラップと同じジオメトリックオーダを有しているということが判った。これにより、光トラップを有する本来の構造が著しく変えられて、目標とする機能を果たすことは最早不可能となる恐れがある。
【０００７】
発明の開示
本発明では、散乱光スクリーンの内側に形成された階段状の構造を変化させて、光軸（Ｘ軸線）の方向で連続する段を備えた既存の階段状の構造に、別の階段状の二次構造を付与することを提案する。この階段状の二次構造では、別の階段状の構造の連続段が、光軸に直交して（即ちＹ軸線に対して平行に）延びている。択一的に、階段状の二次構造は傾斜して延びる複数の小さな傾斜面から形成されてもよく、これらの傾斜面は既存の階段状の一次構造の既存の段に相前後して位置するように載置されている。
【０００８】
これにより、上方から入射する、例えば日光、又はＺ方向にほぼ等しくＹ成分＝０の入射方向を有する街路灯の光等の、従来やはりＹ＝０で反射された光が、今や０とは異なるＹコンポーネントの影響を受ける。その結果、上方から入射する散乱光の大部分が対物レンズの傍らを案内される。
【０００９】
本発明に基づいて提案する構成の利点はとりわけ、既に有利であると判って用いられた装置の僅かな変更しか必要としないという点に見られる。散乱光スクリーンの内側に形成された、前方から入射する散乱光（Ｘ方向）に関する階段状の第１構造による散乱光の良好な減少の利点は、全般的に保持される。ジオメトリ及び寸法に該当する、原理的に類似の構造、即ち階段状の二次構造を加えることにより、階段状の構造を散乱光スクリーンの内側に形成する製作法は原則として変わらないということが保証され得る。
【００１０】
更に、本発明に基づき提案した構成により、極端に大きな手間をかけねば散乱光スクリーンの内側に形成され得ない「光トラップ」の供給が回避される。
【００１１】
実施例の説明
以下に、本発明の実施例を図面につき詳しく説明する。
【００１２】
図１には、フロントガラスの内側に取り付けられたカメラにおいて目下進行する光線が概略的に示されている。
【００１３】
図１から、カメラモジュール１０には散乱光スクリーン１２が前置されているということが判る。この散乱光スクリーン１２は、傾斜して設置されたフロントガラス１４の内側１６に当接している。フロントガラス１４の外側は符号１８で示されている。図１に示した座標系では、Ｘ軸線が符号２０で識別されている。このＸ軸線２０は、カメラ１０の光軸を成している。符号２２はＺ軸線、つまり本実施例の組込み状態では高さ軸線を識別するものである。散乱光スクリーン１２は外側３０と内側２８とを有している。散乱光スクリーン１２の外側３０に直接に入射する光は除去される（矢印２６で図示）。
【００１４】
フロントガラス１４の外側１８から内側１６を通る間接光３２は散乱光スクリーン１２の内側２８で反射され且つカメラモジュール１０の対物レンズ５２に入射する。
【００１５】
図２には、散乱光スクリーンの内側に形成された階段状の一次構造が示されている。
【００１６】
図２では散乱光スクリーン１２の内側が拡大された縮尺で描かれている。従来技術から公知の散乱光スクリーン１２は階段状の一次構造３４を有しており、この一次構造３４は、散乱光スクリーン１２の内側２８に形成されている。散乱光スクリーン１２の外側３０は、この散乱光スクリーン１２の傾斜に対応して延びており、これによりカメラモジュール１０の対物レンズ５２と、フロントガラス１４の内側１６（図２には図示せず）との間の間隔を架橋している。
【００１７】
階段状の一次構造３４は、複数の個別の段４８を有している。散乱光スクリーン１２に入射する光線３２，３６は、対応する１つの段４８の上面から、この段４８に続く階段状の一次構造３４の別の段の端面に反射され、この別の段からやはり反射光３８として放射される。つまり、この光線３８は間接的な反射光３２，３６を成すものであり、カメラモジュール１０の対物レンズ５２には入射しない。
【００１８】
図３には上方から入射する光の光路が示されており、この光は散乱光スクリーン１２に入射し且つカメラモジュール１０へ反射される。
【００１９】
図３に示した、上方から入射する光４０は、例えば太陽光線又は街路灯の灯光又は別の光源である。上方から入射する光４０は散乱光スクリーン１２の内側２８にぶつかる。図２では、散乱光スクリーン１２の内側２８に階段状の一次構造３４が設けられていたが、図３では表現上の理由から書き込まれていない。階段状の一次構造３４を有する散乱光スクリーン１２の内側２８において、上方から入射する光４０は、矢印４２に相応してフロントガラス１４の内側１６へ反射される。
【００２０】
フロントガラス１４の内側１６から反射された光４２は光路４４，４６に相応して、カメラモジュール１０に前置された対物レンズ５２に導入される。
【００２１】
図４には、上方から散乱光スクリーン１２に入射する光４０の光路が拡大された縮尺で示されている。図４からは、上方から入射する光４０が、階段状の一次構造３４の段４８から、矢印４２に従ってフロントガラス（図４には図示せず）の内側へ案内されるということが明らかになる。上方から入射する光４０の入射角が不都合な場合、階段状の一次構造３４は無効である。図３に示した光路に従って、上方から入射する光４０は、フロントガラス１４の内側１６での反射後に、カメラモジュール１０に前置された対物レンズ５２に直接に導入され、これにより、この対物レンズ５２に直接に入射して、カメラモジュール１０の画像記録クオリティーを著しく損なう。完全を期すために述べておくと、各段４８はそれぞれシャープな縁部５０を有している。散乱光スクリーン１２は、開放側がフロントガラス１４によってカバーされるＵ字形の構造である。Ｕ字形に形成された散乱光スクリーンの互いに対向位置する両脚部には、それぞれ傾斜面状の一次構造が形成されている。更に、Ｕ字形に成形された構造の底部にも、傾斜面状の一次構造が形成されている。
【００２２】
図５には、本発明により形成された散乱光スクリーンが示されている。
【００２３】
図５には、散乱光スクリーン１２が部分的にのみ示されている。この散乱光スクリーン１２は、内側２８に階段状の一次構造３４を有している。この一次構造３４は複数の個別の段４８を有しており、これらの段４８は、それぞれ平面５８と端面７０とを有している。更に、段４８は平面５８と端面７０とが互いにぶつかる縁部５０を有している。散乱光スクリーン１２の内側２８には階段状の一次構造３４が位置している一方で、外側３０はほぼ真っ直ぐに延在している（図２及び図４参照）。
【００２４】
１つの段４８の平面５８には、図５に示したように、傾斜面状の二次構造５６が付与されている。この傾斜面状の二次構造５６は、傾斜面状に形成された複数の個別の隆起部を有している。これらの個別の傾斜面状の隆起部は、それぞれ階段状の一次構造３４の平面５８に関して傾斜して形成された変向面８２を有しており、この変向面８２は、段４８の平面５８に関して所定の勾配角度８４だけ傾斜されている。変向面８２は端面６６によって制限される。図５では、階段状の一次構造３４に重畳された傾斜面状の二次構造５６が、変向面８２が散乱光スクリーン１２の外側に対して傾斜して形成されているように配置されている。散乱光スクリーン１２の幅に対応して、傾斜面状の二次構造５６は、傾斜面状に形成された多数の隆起部を有している。
【００２５】
三次元的な配向については、光軸に対応するＸ軸線２０、Ｚ軸線２２及びＹ軸線５４の配向を示す、符号６８を付した座標系を参照されたい。これによると、傾斜面状の二次構造５６は、ほぼＹ軸線５４に対応して延在している。Ｚ軸線２２に関して傾斜面状の二次構造５６の変向面８２は、勾配角度８４だけ傾斜して配置されている。本発明により提案される構成では、傾斜面状に形成された個々の隆起部の連続が、Ｘ軸線２０に対して直交して、即ちＹ軸線５４に対して平行に延びている。
【００２６】
上方から入射する光４０；６２は、傾斜面状の二次構造５６の変向面８２にぶつかって、勾配角度８４に対応して矢印６４に従って反射される。本発明により提案される構成に基づき、反射された光６４は、Ｙ軸線５４の方向で延在するコンポーネントにより影響を及ぼされる。傾斜面状の二次構造５６によって反射された光６４は、散乱光スクリーン１２の一方の側面へ反射され、そこで吸収されるか、若しくは散乱光スクリーンの対向位置する側面等へ反射される。
【００２７】
図５に示した多数の傾斜面状の隆起部に代えて、個々の段４８の面５８に、連続的な上り勾配の階段構造が形成されていてもよく、この階段構造は、複数の小さな個別の段部を有している。更に、変向面８２を平面５８に対して相対的に、図５に示した勾配角度８４とは異なる勾配角度で形成することが可能である。本発明により提案された構成に基づき、散乱光スクリーン１２に設けられた階段状の一次構造３４は、主としてＸ方向、Ｚ方向の２Ｄ構造として形成されており、次いでＹ方向で平行にずらされて、当該の階段状の一次構造３４の各段４８に、別の階段状又は傾斜面状の二次構造５６が載置されることによって三次元構造となる。変向面８２と端面６６と勾配角度８４とによって形成された個々の傾斜面状の隆起部は、例えば個々の傾斜面状の隆起部の傾斜及び高さ、並びに傾斜面の数等の新たな構造パラメータを提供し、これらの新たな構造パラメータの最適化によって、上方から入射する光４０、６２の著しい減少が達成され得る。傾斜面状の二次構造５６の傾斜面状の隆起部は、垂直方向に延びる端面６６と、勾配角度８４で配向された変向面８２とを有している。これにより、例えば変向面８２の勾配角度８４、端面６６の高さ及び段４８毎の傾斜面状の隆起部の数に関する新たな構造パラメータが与えられている。
【００２８】
別の有利な構成では、傾斜面状の二次構造５６は、Ｘ軸線と合致する光軸２０に関して、階段状の一次構造３４の各段４８の中心に対して軸対称で形成され得る。このことは、平面５８における傾斜面状の二次構造５６の傾斜面状の隆起部は、全てが散乱光スクリーン１２の一方の側に向いているのではなく、それぞれより近くに位置する散乱光スクリーン１２の縁部に向いているということを意味する。
【００２９】
図６には、上方からカメラ対物レンズに入射する光の光路が示されている。
【００３０】
図６からは、上方からほぼ垂直方向で入射する光４０，６２が、段４８の平面５８で反射されるということが判る。段４８は、縁部５０により平面５８と端面７０とに分割されている。平面５８にぶつかる光４０，６２は、反射された光４２に基づきフロントガラス１４（図６には図示せず）の内側の衝突箇所７２で反射され、反射された光４４，４６としてカメラモジュール１０に前置された対物レンズ５２に直接に入射する。階段状の一次構造３４は、散乱光スクリーン１２の内側２８に形成されている。
【００３１】
図７には、本発明により散乱光スクリーンの内側に形成された階段状の一次構造３４に付与された、傾斜面状の二次構造が示されている。
【００３２】
図５では、提案された傾斜面状の二次構造５６は段４８の１平面５８に付与されているに過ぎないが、階段状の一次構造３４の各段４８の各平面５８に、傾斜面状の二次構造５６を付与することは十分に可能である。図７には別の傾斜面状の二次構造８０及び第３の傾斜面状の二次構造８６が示されており、これらの二次構造８０，８６は、それぞれ階段状の一次構造３４の個々の段４８の平面５８に付与されている。個々の傾斜面状の隆起部の端面には符号６６が付されている一方で、変向面は符号８２で示されている。
【００３３】
本発明により提案される構成によって得られる光路を明らかにするためには、座標系６８を参照されたい。Ｚ軸線は符号２２で、Ｘ軸線は符号２０で、Ｙ軸線は符号５４で示されている。Ｘ軸線２０は、カメラ対物レンズ５２若しくはカメラモジュール１０の光軸と合致している。
【００３４】
傾斜面状の二次構造５６の傾斜面状の隆起部の個々の変向面８２の傾斜に基づき、上方から垂直に入射する光線４０，６２は変向面８２で斜めに反射される。反射された光６４は、フロントガラス１４の内側１６における変更された衝突箇所７４にぶつかり、この衝突箇所７４から符号７８で示した矢印に従って、変向された光線としてカメラ対物レンズ５２の傍らを通って反射される。これにより、上方から入射する光４０，６２はカメラ対物レンズ５２若しくはこのカメラ対物レンズ５２に後置されたカメラモジュール１０の画像記録クオリティーはネガティブに損なわれない。それというのも、上方から入射する光線４０，６２は光線７８としてカメラ対物レンズ５２の傍らを案内されるからである。
【００３５】
本発明により提案される構成に基づいて、階段状の一次構造３４を形成するために選択された製作法を変えずに、従来使用された散乱光スクリーン１２を最適化することができる。既に有利であると判った装置を軽度に変更するだけでよく、この変更はＺ方向２２から到来する散乱光を良好に減少させることを保証するものである。散乱光スクリーン１２の内側２８に設けられた階段状の一次構造３４を変更することにより、従来公知の構成の良好な特性が保持される。形状及び寸法に関して類似の構造を付加することにより、従来用いられた有利な製作法は原則として変えなくてよい。
【００３６】
図８には、階段状に形成された一次構造が示されている。この一次構造３４は、それぞれ垂直に形成された端面７０と、平面５８とを有しており、これらの端面７０と平面５８とは互いに縁部５０に沿って突き合わされている。端面７０と平面５８とによって、各段４８が形成される。図８に示した一次構造の変化態様では、平面５８が０とは異なる傾斜角αで延在している、つまり、平面５８は個々の段４８の縁部５０に関して上方又は下方に傾斜されて形成されている。個々の段４８の端面７０に関して、平面５８は９０°とは異なる傾斜角βで配向されている。このことは、個々の段４８の端面７０が、垂直線に関して８０°〜１１０°の角度範囲で延在するように形成されているということを意味している。
【００３７】
図９には、一次構造の別の構成手段が示されている。
【００３８】
図９に示した一次構造３４の変化態様では、一次構造３４は平面５８も端面７０も有しているが、これらの平面５８と端面７０とは共通の縁部５０に沿って互いに突き合わされているのではなく、傾斜して延在する面８８を介して互いに結合されている。図９に示した傾斜して延在する面８８は、図４、図６及び図８に示した各段４８の縁部５０を代替するものである。図９に示した変化態様では、段４８の平面５８に関して傾斜された面８８が向けられた角度は、例えば２０°〜３０°のオーダである。
【００３９】
図１０には、階段状に形成された一次構造の更に別の構成手段が示されている。
【００４０】
図１０に示した一次構造３４は、図８及び図９に示した変化態様の構成を組み合わせたものである。図１０に示した変化態様では、平面５８が段４８の端面７０と、傾斜して延在する面８８を介して結合されている。傾斜して延在する面８８が平面５８に向けられる傾斜角は、有利には２０°〜３０°のオーダである。
【００４１】
更に図１０からは、平面５８がＸ軸線２０に関して所定の角度αだけ傾斜して形成されているということが判る。図１０では、平面５８は数度の角度だけ上方に傾斜されて延在している。
【００４２】
更に図１０からは、端面７０が垂直線に対して０°とは異なる所定の角度βだけ傾斜されて形成されているということが判る。
【００４３】
図１１には、一次構造３４の更に別の変化態様が示されており、この一次構造３４には互いに逆方向に向けられた２つの傾斜面状の二次構造５６が重畳されている。互いに逆方向に延在する２つの傾斜面状の二次構造５６は、それぞれ傾斜面状に形成された多数の隆起部を有しており、これらの隆起部はそれぞれ変向面８２を有している。これらの変向面８２は、当該変向面８２によって変向されて反射された光６４が、Ｕ字形に形成された散乱光スクリーン１２の垂直方向で互いに間隔をあけて延在する両脚部にぶつかるように向けられている。傾斜面状の二次構造５６の各変向面８２は、傾斜角８４だけ傾斜されており且つ端面６６を有している。図１１では、互いに逆方向に向けられた傾斜面状の二次構造５６は、一次構造３４の段４８の平面５８上に位置している。散乱光スクリーン１２に入射する光の反射に影響を及ぼすために、図１１に示した互いに逆向きに中心軸線９０に隣接する傾斜面状の二次構造５６を、所定の角度αだけ傾斜させて平面５８に配置することは勿論可能である。図１１では、段４８の端面７０が垂直に配置されているが、これらの端面７０は上で図９及び図１０に関連して説明したように、反射特性を改良するために垂直線から傾斜角βだけ偏位するように配向されていてよい。
【図面の簡単な説明】
【００４４】
【図１】カメラに前置された散乱光スクリーンを備えた初期状態を概略的に示した図である。
【図２】従来技術から公知の散乱光スクリーンの横断面図である。
【図３】図１に示した散乱光スクリーンに上から入射する光を示した図である。
【図４】上から入射する光と、図２に示した散乱光スクリーンの反射率を示した図である。
【図５】既存の階段状構造に重畳された、本発明による階段状の二次構造を示した図である。
【図６】散乱光スクリーンの内側に設けられた階段状の一次構造に上から入射する光の光路を示した図である。
【図７】階段状の一次構造の他に、本発明により提案された別の階段状の二次構造を有する散乱光スクリーンの内側に入射する光の光路を示した図である。
【図８】０°〜９０°の複数の異なる角度を有する一次構造を示した図である。
【図９】２以上の要素を有し且つ面取りされた縁部を有する、段状に形成された階段状の一次構造を示した図である。
【図１０】階段の段がそれぞれ０°〜９０°の異なる角度及び面取りされた縁部を有する、階段状の一次構造を示した図である。
【図１１】階段状の一次構造に重畳されており且つ光軸に対して軸対称に構成された、傾斜面状に形成された二次構造を示した図である。
【図１】
2008522891.tif 000003
【図２】
2008522891.tif 000004
【図３】
2008522891.tif 000005
【図４】
2008522891.tif 000006
【図５】
2008522891.tif 000007
【図６】
2008522891.tif 000008
【図７】
2008522891.tif 000009
【図８】
2008522891.tif 000010
【図９】
2008522891.tif 000011
【図１０】
2008522891.tif 000012
【図１１】
2008522891.tif 000013
【国際調査報告】
2008522891.tif 000014
2008522891.tif 000015
2008522891.tif 000016
2008522891.tif 000017
2008522891.tif 000018
2008522891.tif 000019